【事件の表示】
　特許第２７８８７２０号「リニアモータ駆動式スラットコンベヤ」の特許に対する特許異議の申立てについて、次のとおり決定する。
【結論】
　訂正を認める。
　本件特許異議の申立てを却下する。
【理由】
第１．手続きの経緯
　本件特許第２７８８７２０号は、平成７年１０月１８日に特許出願され、平成１０年６月５日に設定登録され、その後、請求項１及び２に係る発明について特許異議の申立て及び取消理由の通知がなされ、該取消理由の通知の指定期間内である平成１１年８月１３日付けで願書に添付した明細書について訂正請求がなされたものである。
第２．訂正の要旨；
　前記訂正請求は、願書に添付した明細書を訂正請求書に添付した訂正明細書のとおり訂正することを求めるものであるが、その要旨は、次のとおりのものと認める。
▲１▼特許請求の範囲
「【請求項１】スラット自体を２次側の導体としてリニアモータ駆動されるスラットコンベヤにおいて、リニアモータと対向するスラット内部の位置に強磁性材料からなるリアクションプレートを設けたことを特徴とするリニアモータ駆動式スラットコンベヤ。
　【請求項２】前記スラットにはスライドシューがスラットの長手方向に摺動自在に嵌挿されていることを特徴とする請求項１記載のリニアモータ駆動式スラットコンベヤ。
　【請求項３】前記スラットの内部には両端が開放された中空部が形成されているとともにスラットの側面にネジ操作孔が前記中空部と連通して形成され、前記リアクションプレートは前記中空部内当に対向して配置されるタッチプレートとバックメタルとを有し、前記タッチプレートとバックメタルは、両者の間に配置されて前記ネジ操作孔から操作可能なネジ部材により対向間隔が拡げられて、前記中空部の対向する内壁間にそれぞれ押圧固定されていることを特徴とする請求項１又は２に記載のリニアモータ駆動式スラットコンベヤ。」を、「【請求項１】スラット自体を２次側の導体としてリニアモータ駆動され、リニアモータと対向するスラット内部の位置に強磁性材料からなるリアクションプレートを設けたりニアモータ駆動式スラットコンベヤにおいて、
　前記スラットの内部には両端が開放された中空部が形成されているとともにスラットの側面にネジ操作孔が前記中空部と連通して形成され、前記リアクションプレートは前記中空部内に対向して配置されるタッチプレートとバックメタルとを有し、前記タッチプレートとバックメタルは、両者の間に配置されて前記ネジ操作孔から操作可能なネジ部材により対向間隔が拡げられて前記中空部の対向する内壁間にそれぞれ押圧固定されていることを特徴とするリニアモータ駆動式スラツトコンベヤ。
　【請求項２】前記スラットにはスライドシューがスラットの長手方向に摺動自在に嵌挿されていることを特徴とする請求項１記載のリニアモータ駆動式スラットコンベヤ。」
と訂正する。
▲２▼明細書段落【０００９】第１行（特許第２７８８７２０号公報　段落【０００９】第１行）における「図面」を、「図１〜図５」と訂正する。
▲３▼明細書段落【０００９】第１行（同公報　段落【０００９】第１〜２行）における「１実施例について」を、「実施例を」と訂正する。
▲４▼明細書段落【００１８】第１行（同公報　段落【００１８】第１行）における「次に、図４は本発明の第２の実施例を示す」を、「図４は、」と訂正する。
▲５▼明細書段落【００２３】第９行（同公報　段落【００２３】第１２行）における「各実施例」を、「実施例１」と訂正する。
▲６▼明細書の【図面の簡単な説明】の欄の第１〜３１行（同公報　第４頁８欄７，８，１０行）における各「１実施例」を、「実施例」とそれぞれ訂正する。
▲７▼明細書の【図面の簡単な説明】の欄の第４行（同公報　第４頁８欄１２行）における「他の実施例」を、「実施例」と訂正する。
第３．訂正の適否
１．上記▲１▼の訂正は、特許異議の申立てがなされた請求項１及び２を削除し、請求項１及び２を選択的に引用する従属形式で記載されていた請求項３を、独立形式の請求項１及び従属形式の請求項２に訂正するものであるから、特許請求の範囲の減縮を目的とするものであり、新たな請求項１及び２に係る発明は訂正請求前の請求項３に記載されていた発明であり、実質上特許請求の範囲を拡張し又は変更するものではない。
２．上記▲２▼〜▲７▼の訂正は、上記▲１▼の訂正に伴い、
発明の詳細な説明又は図面の簡単な説明の記載を、特許請求の範囲の記載と整合させるものであるから、明瞭でない記載の釈明に相当し、また、訂正請求前の明細書に記載されていた事項の範囲内における訂正であり、実質上特許請求の範囲を拡張し又は変更するものではない。
３．以上のとおりであるから、上記訂正請求は、特許法第１２０条の４第２項の規定、及び同条第３項の規定により準用する同法第１２６条第２〜４項の規定に適合するので、当該訂正は認められるべきものである。
第４．特許異議の申立てについて
１．特許異議の申立ての理由及び証拠
　特許異議申立人は、訂正請求前の請求項１及び２に係る発明は、次の甲第１〜３号証に記載された発明に基づいて、当業者が容易に発明をすることができたものであるから、特許法第２９条に違反して特許されたものであり、その特許は取り消されるべきものである旨主張する。
　甲第１号証：特開平７−６１５７０号公報
　甲第２号証：「三菱リニアモータ技術資料集」平成７年５月作成　
　甲第３号証：山田一編著ｒリニアモータ応用ハンドブック」（１９８６年１２月１０発行）
第５．当審の判断
　特許異議の申立てがなされた請求項は、前記訂正請求により削除されたことにより、本件特許異議の申立ては、その対象が存在しないこととなった。
　よって、結論のとおり決定する。
【異議決定日】
平成１１年９月２７日（１９９９．９．２７）
【訂正の要旨】
▲１▼特許請求の範囲の減縮を目的として、特許請求の範囲
「【請求項１】スラット自体を２次側の導体としてリニアモータ駆動されるスラットコンベヤにおいて、リニアモータと対向するスラット内部の位置に強磁性材料からなるリアクションプレートを設けたことを特徴とするリニアモータ駆動式スラットコンベヤ。
　【請求項２】前記スラットにはスライドシューがスラットの長手方向に摺動自在に嵌挿されていることを特徴とする請求項１記載のリニアモータ駆動式スラットコンベヤ。
　【請求項３】前記スラットの内部には両端が開放された中空部が形成されているとともにスラットの側面にネジ操作孔が前記中空部と連通して形成され、前記リアクションプレートは前記中空部内に対向して配置されるタッチプレートとバックメタルとを有し、前記タッチプレートとバックメタルは、両者の間に配置されて前記ネジ操作孔から操作可能なネジ部材により対向間隔が拡げられて前記中空部の対向する内壁間にそれぞれ押圧固定されていることを特徴とする請求項１又は２に記載のリニアモータ駆動式スラットコンベヤ。」を、
「【請求項１】スラット自体を２次側の導体としてリニアモータ駆動され、リニアモータと対向するスラット内部の位置に強磁性材料からなるリアクションプレートを設けたリニアモータ駆動式スラットコンベヤにおいて、
　前記スラットの内部には両端が開放された中空部が形成されているとともにスラットの側面にネジ操作孔が前記中空部と連通して形成され、前記リアクションプレートは前記中空部内に対向して配置されるタッチプレートとバックメタルとを有し、前記タッチプレートとバックメタルは、両者の間に配置されて前記ネジ操作孔から操作可能なネジ部材により対向間隔が拡げられて前記中空部の対向する内壁問にそれぞれ押圧固定されていることを特徴とするリニアモータ駆動式スラツトコンベヤ。
　【請求項２】前記スラットにはスライドシューがスラットの長手方向に摺動自在に嵌挿されていることを特徴とする請求項１記載のリニアモータ駆動式スラツトコンベヤ。」
と訂正する。
▲２▼明瞭でない記載の釈明を目的として、明細書段落【０００９】第１行（特許第２７８８７２０号公報　段落【０００９】第１行）における「図面」を、「図１〜図５」と訂正する。
▲３▼明瞭でない記載の釈明を目的として、明細書段落【０００９】第１行（同公報　段落【０００９】第１〜２行）における「１実施例について」を、「実施例を」と訂正する。
▲４▼明瞭でない記載の釈明を目的として、明細書段落【００１８】第１行（同公報　段落【００１８】第１行）における「次に、図４は本発明の第２の実施例を示す」を、「図４は、」と訂正する。
▲５▼明瞭でない記載の釈明を目的として、明細書段落【００２３】第９行（同公報　段落【００２３】第１２行）における「各実施例」を、「実施例」と訂正する。
▲６▼明瞭でない記載の釈明を目的として、明細書の【図面の簡単な説明】の欄の第１〜３行（同公報　第４頁８欄７，８，１０行）における各「１実施例」を、「実施例」とそれぞれ訂正する。
▲７▼明瞭でない記載の釈明を目的として、明細書の【図面の簡単な説明】の欄の第４行（同公報　第４頁８欄１２行）における「他の実施例」を、「実施例」と訂正する。
（５４）【発明の名称】
リニアモータ駆動式スラットコンベヤ
（５７）【特許請求の範囲】
【請求項１】　スラット自体を２次側の導体としてリニアモータ駆動され、リニアモータと対向するスラット内部の位置に強磁性材料からなるリアクションプレートを設けたりニアモータ駆動式スラットコンベヤにおいて、
　前記スラットの内部には両端が開放された中空部が形成されているとともにスラットの側面にネジ操作孔が前記中空部と連通して形成され、前記リアクションプレートは前記中空部内に対向して配置されるタッチプレートとバックメタルとを有し、前記タッチプレートとバックメタルは、両者の間に配置されて前記ネジ操作孔から操作可能なネジ部材により対向間隔が拡げられて前記中空部の対向する内壁間にそれぞれ押圧固定されていることを特徴とするリニアモータ駆動式スラットコンベヤ。
【請求項２】　前記スラットにはスライドシューがスラットの長手方向に摺動自在に嵌挿されていることを特徴とする請求項１記載のリニアモータ駆動式スラットコンベヤ。
【発明の詳細な説明】
　【０００１】
　【発明の属する技術分野】
　本発明は、リニアモータ駆動式スラットコンベヤに関し、特にリニアモータの駆動力を高めるようにしたスラットの構造に関する。
　【０００２】
　【従来の技術】
　従来、物品の仕分け作業には、スラット上にスライドシューを摺動自在に設け、仕分けする物品を前記スライドシューを搬送方向に対して斜めに配置されたガイドレールで側方に移動させて指定された仕分け位置に水平に払い出すようにしたスラットコンベヤが用いられている。
　前記スラットコンベヤは、無端状に多数連結されて循環可能に支持されたスラットの左右両側に主務チェーンが取り付けられ、前記主務チェーンが掛け渡されているスプロケットを減速機を介して駆動モータで回転して駆動される構成のものが広く用いられている。
　【０００３】
　また、スラットコンベヤの駆動手段として、特開平７−６１５７０号公報に記載されているような、リニアモータを用いているものもある。これはアルミニウム等の金属で形成されているスラットを２次側導体として、リニアモータによって無端状に連結されているそれぞれのスラットがリニアモータの位置で推進力が与えられて直接駆動されるもので、前記の主務チェーンによって駆動するものと比較して騒音の発生する部分が少なく静粛な運転を行うことのできる長所がある。
　【０００４】
　【発明が解決しようとする課題】
　前述したような、主務チェーンによって駆動する構造の従来のスラットコンベヤでは、主務チェーンがスプロケットによって駆動されるため、スプロケットと主務チェーンとの噛み合い部分での噛み合い音が発生し、また、駆動側のスプロケットと駆動モータとの間に減速機が設けられているため、前記減速機部分においてもギヤどうしの噛み合い音が発生し、コンベヤの運転時に大きな騒音が発生するという問題があった。
　【０００５】
　また、リニアモータによって、スラットを直接駆動する構造のスラットコンベヤでは、主務チェーンを用いた場合のような騒音は生じないものの、２次側導体となるスラットに十分な推進力が得られず、駆動効率が低いという問題が生じている。特に、スラットにスライドシューが摺動自在に嵌挿されている仕分け装置として用いるスラットコンベヤでは、前記スライドシューはスラットの下方に斜めに配置されたガイドレールに案内されてスラットの移動に伴って左右方向に摺動されるように構成されているため、物品を仕分け位置で払い出す際の抵抗力に対抗できるようにスラットの駆動力を大きくする必要があり、従来のリニアモータ駆動のものでは、主務チェーンで駆動するものと比較して駆動力が不足する問題があった。
　【０００６】
　そこで、本発明は、前述したような従来技術の問題点を解消し、大きな駆動力が得られるリニアモータ駆動式スラットコンベヤのスラット構造を提供することを目的としている。
　【０００７】
　【課題を解決するための手段】
　前記目的のため、本発明は、スラット自体を２次側の導体としてリニアモータ駆動されるスラットコンベヤにおいて、リニアモータと対向するスラット内部の位置に強磁性材料からなるリアクションプレートを設けたものである。
　前記スラットにはスライドシューがスラットの長手方向に摺動自在に嵌挿されていることが好ましい。また、前記スラットの内部には両端が開放された中空部が形成されているとともにスラットの側面にネジ操作孔が前記中空部と連通して形成され、前記リアクションプレートは前記中空部内に対向して配置されるタッチプレートとバックメタルとを有し、前記タッチプレートとバックメタルは、両者の間に配置されて前記ネジ操作孔から操作可能なネジ部材により対向間隔が拡げられて前記中空部の対向する内壁間にそれぞれ押圧固定されていることが好ましい。
　【０００８】
　【作用】
　スラット内に強磁性材料からなるリアクションプレートを配置したことによって、アルミニウム等の金属で形成されているスラットのみを２次側導体として使用している場合と比較して、リニアモータのスラットを推進させる力が増加するとともに安定し、スラットコンベヤの駆動力が大きくなる。
　【０００９】
　【実施例】
　以下、図１〜図５に基づいて、本発明の実施例を説明する。図１は、本発明のリニアモータ駆動式スラットコンベヤの断面図であって、スラットコンベヤ１は両端で互い連結されて無端状に構成されている多数のスラット２が、コンベヤフレーム３に搬送側と戻り側とに亘って閉ループ状に取り付けられている案内レール４に支持されて、垂直面内で循環駆動されるように構成されている。
　【００１０】
　本実施例に示すスラットコンベヤ１は、スラット２上に載置されて搬送される物品を、搬送途中の指定された位置でコンベヤ側方へ払い出すためのスライドシュー５を有しており、仕分け装置として用いられるものである。前記スライドシュー５は、各スラット２に摺動自在に嵌挿されている。
　【００１１】
　戻り側を移動するスラット２の中央部下方には、コンベヤフレーム３に支持されてリニアモータ６が配置されている。また、スラット２内には、前記リニアモータ６と対向する位置にリアクションプレート７が設けられている。リニアモータ６の両側には、戻り側でスラット２が自重で垂れ下がることを防止するためのスラット垂れ下がり防止シュー８，８がコンベヤフレーム３上に立設され、戻り側のスラット２の搬送面を下方から支持している。
　【００１２】
　図２は、スラット２の構造を示す平面図、図３はその長手方向の側面図であって、スラット２は、両端に連結リンク９が取り付けられ、前記連結リンク９によって隣り合うスラット２と屈曲自在に連結されており、それぞれの屈曲部９Ａには、水平な軸周りに回転自在な水平ローラ１０が取り付けられ、また、隣り合う２つの水平ローラ１０、１０間には、垂直な軸周りに回転自在な縦ローラ１１が配置されている。
　【００１３】
　前記水平ローラ１０及び縦ローラ１１は、それぞれ図３に示すように、案内レール４に形成されている水平案内面４Ａと垂直案内面４Ｂにそれぞれ当接してスラット２が所定の経路に沿って走行するように案内している。
　【００１４】
　スラット２はアルミニウム製のものが使用されており、その中央部には、鉄板によって形成されているリアクションプレート７が設けられている。前記リアクションプレート７は、スラット２の内部に埋設されて表面には露出しておらず、スラット２上のスライドシュー５の摺動に支障をきたさないようになっている。
　【００１５】
　前述したように構成されている図１に示すスラットコンベヤ１のリニアモータ６に通電されると、リニアモータ６は、対向している２次側導体としてのスラット２と電磁的に相互作用してスラット２に推進力を及ぼし、その結果、各スラット２は、搬送方向に循環駆動される。その際、リニアモータ６と対向した上方位置を、強磁性材料である鉄板が通過するため、スラット２にリニアモータ６から加えられる推進力が増大される。
　【００１６】
　一方、それぞれのスラット２に摺動自在に嵌挿されているスライドシュー５の裏面には、スラット２の搬送面と垂直な軸周りに回転自在なガイドローラ１２が取り付けられており、スライドシュー５は、コンベヤフレーム３側に取り付けられているガイドレール１３に前記ガイドローラ１２が案内されて、スラット２の走行中における位置が制御される。
　【Ｏ０１７】
　前記ガイドレール１３は、スラットコンベヤ１の搬送側では、仕分け位置側へスライドシュー５を移動させるために、スラット２の移動方向に対して傾斜して設けられている傾斜レール部分を有しており、前記ガイドローラ１２が前記傾斜レール部分を案内される場合には、ガイドローラ１２がスラット２の移動とともに、傾斜レールによって側方へ押されてスライドシュー５がスラット２の一方の側へ移動し、指定された仕分け位置への物品の仕分けが行われる。
　【００１８】
　図４は、スラット２の断面構造を示す図、図５と図６は、図４のＡ−Ａ線位置の矢印方向から見た断面及びＢ−Ｂ線位置の矢印方向から見た断面をそれぞれ示すものである。このスラット２の内部には、その両端で外部に開放されている中空部２Ａと前記中空部２Ａの両側に平行した２つの中空部２Ｂとがそれぞれ形成されている。そして、スラット２の長手方向の中央部分には、中空部２Ａと中空部２Ｂとにそれぞれ連通しているネジ操作孔２Ｃと、ネジ操作孔２Ｄとが形成されている。
　【００１９】
　前記中空部２Ａの内部には、リアクションプレートとして機能する、タッププレート１４Ａとバックメタル１５Ａとが対向して配置されている。前記タッププレート１４Ａにはネジ孔１６が形成されており、前記ネジ孔１６にはネジ部材１７が螺合されている。前記ネジ孔１６は、ネジ操作孔２Ｃと対向した位置に形成されており、ネジ操作孔２Ｃの径は、ネジ部材１７の径より大きく形成され、ネジ部材１７をスラット２の外部からドライバー等の工具で回転できるようになっている。また、バックメタル１５Ａは、スラット２の長手方向の両端部が、タッププレート１４Ａ側に屈曲されて、タッププレート１４Ａの両端面に対向している。
　【００２０】
　一方、前記２つの中空部２Ｂの内部には、リアクションプレートとして機能する、タッププレート１４Ｂとバックメタル１５Ｂとが対向して配置されており、前記タッププレート１４Ｂには、ネジ操作孔２Ｄと対応する位置に透孔１８が形成されている。また、タッププレート１４Ｂには、バックメタル１５Ｂとの対向している側の面に透孔１８の上にナット１９が溶接によって固定されている。
　【００２１】
　前記ナット１９にはネジ部材２０が螺合されている。前記ネジ操作孔２Ｄと透孔１８の径は、前記ネジ部材２０の径より大きく形成されており、ネジ部材２０は、前記ネジ部材１７と同様に、スラット２の外部からドライバー等の工具で回転できるようになっている。なお、ナット１９を用いる代わりに、タッププレート１４Ａのネジ孔１６と同様なネジ孔をタッププレート１４Ｂに形成して、ネジ部材２０をタッププレート１４Ｂに直接螺着してもよい。なお、前記リアクションプレートとして機能するタッププレート１４Ａ，１４Ｂ、及び、バックメタル１５Ａ，１５Ｂは、それぞれ鉄材で形成されている。
　【００２２】
　前述した構成において、タッププレート１４Ａとバックメタル１５Ａとは、スラット２の中空部２Ａ内へ、端部側から挿入してスラット２の長手方向中央部に位置決めし、スラット２の下面のネジ操作孔２Ｃからネジ部材１７を挿入して、タッププレート１４Ａのネジ孔１６に螺合し、工具で締め付けることによって、ネジ部材１７の先端をバックメタル１５Ａに圧接させ、タッププレート１４Ａとバックメタル１５Ａとをそれぞれスラット２の中空部２Ａの上下の内壁面に押しつけて固定する。また、図示していないが、本実施例では、スラット２の開放されている両端から中空部２Ａ内に発泡スチロール板材からなるバックメタル固定材を挿入してバックメタル１５Ａの両側に当接させ、バックメタル１５Ａの位置が、スラット２の振動等によって中空部２Ａの長手方向にずれないように規制している。
　【００２３】
　また、タッププレート１４Ｂとバックメタル１５Ｂも、タッププレート１４Ａ及びバックメタル１５Ａと同様にして、中空部２Ｂの中央部に挿入し、ネジ部材２０をネジ操作孔２Ｄから差し込んで固定する。図示していないが、バックメタル１５Ｂについても、前記と同様にして、その両側に発泡スチロール板材からなるバックメタル固定材を当接させて、中空部２Ｂ内での長手方向の位置のずれを防止している。なお、前述したバックメタル固定材は、バックメタル１５Ａ、１５Ｂがネジ部材１７，２０が運転時の振動で万一緩んだ場合の補助固定手段であり、必ずしも設ける必要はない。
　前述した実施例で使用しているリアクションプレートには、鉄材が用いられているが、他の強磁性材料を用いることも可能であり、例えばフェライト等の非金属材料で形成することもできる。
　【００２４】
　【発明の効果】
　以上に説明したように、本発明のリニアモータ駆動式スラットコンベヤによれば、強磁性材料のリアクションプレートをスラット内部に配置したため、リアクションプレートを用いていない場合と比較して、リニアモータのスラットを推進する力を３倍弱にまで高めることができ、また常に安定した推進力を得ることができる。
　その結果、従来のアルミニウム等のスラットを用いているリニアモータ駆動式のスラットコンベヤと比較して、搬送能力向上させることができる。また、従来のものと同程度の搬送能力を得る場合には、必要なリニアモータの設置台数を減らすことができるため、製造コストを下げることができる。
　【００２５】
　また、本発明のスラットコンベヤをスライドシューがスラットに摺動自在に嵌挿されている物品仕分け用の構造とした場合には、スライドシューが移動する際に生じる抵抗力に対して、リニアモータの推進力が従来のもののように不足するようなことが無く、確実で安定した仕分け動作を行うことができる。
【００２６】
　さらに、スラット内部に両端が開放された中空部を形成し、前記中空部にタッチプレートとバックメタルとが対向して構成されるリアクションプレートを配置し、スラット側面の操作孔から操作可能なネジ部材でリアクションプレートを中空部の対向する内壁に押圧固定する構造としている場合には、リアクションプレートをスラットの端部から容易に中空部内に装着することができ、組立作業が容易となる。
【図面の簡単な説明】
　【図１】　本発明の実施例を示す正面図。
　【図２】　本発明の実施例におけるスラットの構造を示す平面図。
　【図３】　本発明の実施例におけるスラットの構造を示す側面図。
　【図４】　本発明の実施例におけるスラットの構造を示す横断面図。
　【図５】　図４のＡｒＡ線位置における矢印方向に見た断面図。
　【図６】　図５のＢ−Ｂ線位置における矢印方向に見た断面図。
　【符号の説明】
１　　　　　スラットコンベヤ　　　　２　　　　スラット
２Ａ，２Ｂ　中空部　　　　　　　　　２Ｃ，２Ｄ　ネジ操作孔
５　　　　　スライドシュー　　　　　６　　　　リニアモータ
７　　　　　リアクションプレート　　１４Ａ，１４Ｂ　タッププレート
１５Ａ，１５Ｂ　　バックメタル　　　１７，２０　ネジ部材